(57)【要約】      （修正有）【課題】ディスクドライブの交換時の冷却効率を改善する。【解決手段】複数のディスクドライブ401，１６０５への信号を制御する制御回路を含む主要筐体を備え、第１ユニットに接続される第２コネクタを有する複数のケーブルと、ディスクドライブに接続された複数の第１コネクタ404と、ディスクドライブと制御回路を冷却する空気の流れを供給する送風機とを有する第１ユニット１６１１を備える。第１ユニットは、主要筐体内へ摺動すべくケーブルに接続し、取付機構に取り付けられる。装置は、主要筐体へ摺動するように第２ユニット１６０２を備える。第２ユニットは、ケーブルに接続し、制御回路を冷却する空気を供給する送風機を有し、主要筐体へ着脱可能であり、第１ユニットと交換可能である。【選択図】図１６
2010157310.tif 000002
【特許請求の範囲】
【請求項１】
データを記憶し、記憶データを提供するデータ記憶装置（１３０１，１６０１）であって、
複数のディスクドライブ（４０１，１６０５）への信号を制御する制御回路を含む主要筐体（１１３）と、
前記ディスクドライブに各々接続された複数の第１コネクタ（４０４）と、前記ディスクドライブと前記制御回路を冷却する空気の流れを供給する送風機（６０１，６０２）とを有する、第１の型の、第１ユニット（１３１０，１３１２，１６１１，１６２２）と、
各々が前記制御回路から信号を提供するように前記第１ユニットに接続される第２コネクタ（４１４）を有する複数のケーブル（４１２）と、
前記第１ユニットとは異なる第２の型の第２ユニット（１３０２，１６０２）とを備え、
前記主要筐体は、各々が前記第１ユニットを支持するように構成された複数の取付機構（５０８Ａ，５０８Ｂ，５０９Ａ，５０９Ｂ，５１０Ａ，５１０Ｂ）を有し、
前記第１ユニットは、前記主要筐体内へ摺動して入るべく取り付けられるように、前記複数のケーブルの第１のケーブルに接続され、前記複数の取付機構の第１の取付機構に取り付けられ、
前記第２ユニットは、前記複数の取付機構の第２の取付機構で支持され、前記主要筐体へ摺動して入るように取り付けられ、前記複数のケーブルの第２のケーブルに接続され、前記制御回路を冷却する空気の流れを供給する送風機を有し、前記主要筐体から着脱可能であり、前記第１ユニットと交換可能である、データ記憶装置。
【請求項２】
前記第２ユニットはディスクドライブを含まない、請求項１記載のデータ記憶装置。
【請求項３】
前記第２ユニットはディスクドライブに接続されるコネクタを含まない、請求項２記載のデータ記憶装置。
【請求項４】
前記第２ユニット（１６０２）は前記第１ユニット（１６１１，１６１２）のディスクドライブとは異なるタイプのディスクドライブ（１６０５）を含む、請求項１記載のデータ記憶装置。
【請求項５】
前記第１ユニットのディスクドライブ（４０１）は第１の形状要素を有し、前記第２ユニットのディスクドライブ（１６０５）は前記第１の形状要素とは異なる形状要素を有する、請求項４記載のデータ記憶装置。
【請求項６】
前記第１ユニットのディスクドライブは第１のインターフェイスを介して通信するように構成され、前記第２ユニットは異なる第２のインターフェイスを介して通信するように構成されたディスクドライブを含む、請求項４記載のデータ記憶装置。
【請求項７】
前記第１のインターフェイスはＳＡＳインターフェイスであり、前記第２のインターフェイスはＳＡＴＡインターフェイスである、請求項６記載のデータ記憶装置。
【請求項８】
前記第１ユニットは、該第１ユニットのディスクドライブが設置される経路（５０２）を備え、前記空気の流れは、前記第１ユニットの送風機（６０１，６０２）によって前記経路を通って供給される、請求項１から７のいずれか１項記載のデータ記憶装置。
【請求項９】
前記経路はＵ字形経路（５０２）を備え、蓋（５０５）が前記Ｕ字形経路に合う、請求項８記載のデータ記憶装置。
【請求項１０】
前記取付機構は前記主要筐体内に取り付けられた第１のレール（５１１）を含み、前記第１ユニット及び前記第２ユニットは各々、前記第１のレールの１本と協働するように構成された第２のレール（５１２）を有し、前記第２のレールが前記第１のレールに関して摺動できる、請求項１から９のいずれか１項記載のデータ記憶装置。
【請求項１１】
前記第１ユニット及び前記第２ユニットは各々２つの側壁（５０３，５０４）を有するＵ字形経路（５０２，１４０１）を備え、前記側壁は各々、該側壁に取り付けられた第２のレール（５１２）の１本を有する、請求項１０記載のデータ記憶装置。
【請求項１２】
前記第１ユニット及び前記第２ユニットは各々２つの側壁（５０３，５０４）を有するＵ字形経路（５０２，１４０１）を備え、前記側壁の１つは、該側壁に第１の高さに取り付けられた第２のレール（５１２）の１本を有し、他の１つは、該側壁に異なる第２の高さに取り付けられた第２のレール（５１２）の１本を有する、請求項１０記載のデータ記憶装置。
【請求項１３】
データを記憶し、記憶データを提供するデータ記憶装置（１０１，１３０１，１６０１）であって、
主要筐体（１１３）と、
データ記憶要素（４０１）に接続した複数のコネクタ（４０４）を有し、前記データ記憶要素へのアクセスを提供するために前記主要筐体から摺動して出ることができるように、前記主要筐体内へ摺動可能に取り付けられた複数のユニット（１１０，１１１，１１２）と、
前記データ記憶要素を冷却する空気の流れを供給するように構成された送風機（６０１，６０２）とを備え、
前記複数のユニットは各々、前記データ記憶要素が中に設置される経路（５０２）を有し、
前記送風機は、前記ユニットが前記主要筐体内に位置しているとき、及び前記ユニットが前記主要筐体から摺動して出ているとき、前記経路を通って空気の流れを供給するように構成されている、データ記憶装置。
【請求項１４】
前記経路はＵ字形経路（５０２）を備え、蓋（５０５）が前記Ｕ字形経路に合う、請求項１３記載のデータ記憶装置。
【請求項１５】
前記主要筐体は、前記複数のユニットの１台を支持するように各々構成された複数の取付機構（５０８Ａ，５０８Ｂ，５０９Ａ，５０９Ｂ，５１０Ａ，５１０Ｂ）を有する、請求項１３又は１４記載のデータ記憶装置。
【請求項１６】
前記複数の取付機構は、各々前記主要筐体内に取り付けられた第１のレール（５１１）を含み、前記ユニットの各１台は前記第１のレールの１本と協働するように構成された第２のレール（５１２）を有し、第２のレールが前記第１のレールに関して摺動できる、請求項１５記載のデータ記憶装置。
【請求項１７】
前記ユニットの各１台は、２つの側壁（５０３，５０４）を有するＵ字形経路（５０２，１４０１）を備え、前記側壁は各々、該側壁に取り付けられた第２のレールの１本を有する、請求項１６記載のデータ記憶装置。
【請求項１８】
前記ユニットの各１台は、２つの側壁を有するＵ字形経路を備え、前記側壁の１つは、該側壁に第１の高さに取り付けられた第２のレールの１本を備え、他の１本は、該側壁に異なる第２の高さに取り付けられた第２のレールの１本を有する、請求項１６記載のデータ記憶装置。
【請求項１９】
前記ユニットの各１台は送風機を有する、請求項１３から１８のいずれか１項記載のデータ記憶装置。
【請求項２０】
前記ユニットの各１台は、２組の送風機を備え、各組の送風機は、該送風機の１組の故障中データ記憶要素が他の１組の送風機によって冷やされ続けるように、各ユニット内のすべてのデータ記憶要素に空気の流れを供給するように構成される、請求項１３から１９のいずれか１項記載のデータ記憶装置。
【請求項２１】
データを記憶し、記憶データを提供するデータ記憶装置（１０１，１３０１，１６０１）であって、
主要筐体（１１３）と、
前記主要筐体内に設置された電力供給部（２０６，２０７）と、
前記電力供給部と前記データ記憶装置の他の構成要素とを接続する複数の電気コネクタを支持し、前記主要筐体内に設置された支持パネル（２０１）と、
複数のデータ記憶要素を有し、該データ記憶要素へのアクセスを提供するために前記主要筐体から摺動可能に前記主要筐体内へ摺動して取り付けられる複数のユニット（１１０，１１１，１１２）と、
複数のケーブルモジュール（２１０、２１１、２１２）とを備え、
前記複数のケーブルモジュールは各々、
前記複数のユニット（１１２）の１台に接続するように構成された第１の端に第２コネクタ（４１４）と、前記支持パネルで支持された電気コネクタの１つに接続するように構成された第２の端に第３コネクタ（４１３）を有するケーブル（４１２）と、
前記支持パネルへ手動でアクセスし、手動で剛性構造が移動することによって前記第３コネクタが切断されるのを防止する障害物を提供し、前記第３コネクタを支持する可動の剛性構造とを含む、データ記憶装置。
【請求項２２】
前記ケーブルモジュール（２１０、２１１、２１２）は、前記剛性構造に取り付けられたハンドル（３５１）を含む、請求項２１記載のデータ記憶装置。
【請求項２３】
前記ケーブルモジュール（２１０、２１１、２１２）は、
前記支持パネル（２０１）で支持された前記電気コネクタの１つに前記第３コネクタが接続される運転位置へ前記剛性構造が移動することができる第１の構成から移動するように構成されたデバイスを備え、そして、
前記デバイスは、前記剛性構造が前記運転位置へ移動するのを前記デバイスが防止する第２の構成から移動するように構成されている、請求項２１又は２２記載のデータ記憶装置。
【請求項２４】
前記デバイスは、前記剛性構造が前記運転位置から移動するとき、自動的に前記第２の構成に移動するように構成されている、請求項２３記載のデータ記憶装置。
【請求項２５】
前記ケーブルモジュール（２１０、２１１、２１２）は各々、前記ユニットが前記主要筐体から摺動して出るとき、各ケーブルの一部に沿って延びるように構成された収縮可能ガイド部材を備える、請求項２１から２４のいずれか１項記載のデータ記憶装置。
【請求項２６】
前記収縮可能ガイド部材（９０３）は、前記各ユニットが部材が前記主要筐体の中へ摺動して入る間、巻くように構成される、請求項２５記載のデータ記憶装置。
【請求項２７】
前記ガイド部材は、一方向へは容易に曲がり、反対方向へは容易に曲がらないように構成された細長形状であり、該ガイド部材が巻くとき第１の方向に曲がり、前記ケーブルを誘導するとき、反対方向に曲がりにくい、請求項２６記載のデータ記憶装置。
【請求項２８】
前記ガイド部材はばねを含み、該ばねで生じた力によって前記ガイド部材が格納された構成なる、請求項２６又は２７記載のデータ記憶装置。
【請求項２９】
前記ユニットは各々、該ユニット内にある前記データ記憶要素を冷却する空気の流れを供給する送風機を含む、請求項２１から２８のいずれか１項記載のデータ記憶装置。
【請求項３０】
ラック（１０２）内に据え付けられる電子装置（１０１，１３０１，１６０１）であって、
ボックス（１１３）と、
前記ボックス内に設置され、一方の側に第１の区画を、反対側に第２の区画を有する区画壁要素（５１６）と、
前記第１の区画内のスライドレール（５０８Ａ，５０８Ｂ）上に設置された第１のユニット（１１０）と、
前記第２の区画内のスライドレール（５０９Ａ，５０９Ｂ）上に設置された第２のユニットと（１１１）を備え、
前記区画壁要素は、前記第１のユニットを支持している第１のスライドレール（５０８Ｂ）と、前記第２ユニットを支持している第２のスライドレール（５０９Ａ）を支持し、
前記第１のスライドレールと第２のスライドレールとの間の水平間隔が減少するように、前記第１のスライドレールは第１の高さで支持され、前記第２のスライドレールは異なる第２の高さで支持される、電子装置。
【請求項３１】
前記区画壁要素（５１６）は、前記第１のスライドレール（５０８Ｂ）を受ける第１の収容部と前記第２のスライドレール（５０９Ａ）を受ける第２の収容部とを有する、請求項３０記載の電子装置。
【請求項３２】
前記区画壁要素（５１６）は、押し出されたアルミニウム又はアルミニウム合金から形成される、請求項３０又は３１記載の電子装置。
【請求項３３】
第２の区画壁要素（５１７）が、第３のユニット（１１２）を含む第３の区画から前記第２の区画を分離し、前記第２の区画壁要素は、第３のスライドレール（５０９Ｂ）を第１の高さに、そして第４のスライドレール（５１０Ａ）を異なる第２の高さに支持する、請求項３０から３２のいずれか１項記載の電子装置。
【請求項３４】
前記第１のユニット（１１０）は、第１の側壁（５０４）上で第１の高さに第１の内側スライドレール（５１２）を、第２の側壁（５０３）上で異なる第２の高さに第２の内側スライドレール（５１２）を備えている、請求項３０から３３のいずれか１項記載の電子装置。
【請求項３５】
前記ボックス（１１３）は、アルミニウム合金の押し出しによって成形され、第１の溝を有する上部の壁（５１４）と、アルミニウム合金の押し出しによって成形され、第２の溝を有する下部の壁（５１５）とを備え、
前記区画壁要素（５１６，５１７）は、前記第１の溝に設置された上端と前記第２の溝に設置された下端とを有する、請求項３０から３４のいずれか１項記載の電子装置。
【請求項３６】
前記第１のユニット（１１０）はＵ字形経路を備え、前記第１のユニットを支持する前記スライドレール（５０８Ａ，５０８Ｂ）は、前記Ｕ字形経路の両側壁に取り付けられる、請求項３０から３５のいずれか１項記載の電子装置。
【請求項３７】
前記第１のユニット（１１０）は、対応するディスクドライブに接続するように各々構成された複数の電気コネクタを有する、請求項３０から３６のいずれか１項記載の電子装置。
【請求項３８】
前記ボックス（１１３）は左側面壁（２０２）と右側面壁（２０３）を備え、前記両側面壁（２０２，２０３）は、押し出しされた金属で成形され、収納部を有し、外側スライドレール（５１１）は前記各収納部内に設置される、請求項３０から３７のいずれか１項記載の電子装置。
【請求項３９】
前記ボックス（１１３）は左側面壁（２０２）と右側面壁（２０３）を備え、前記両側面壁（２０２，２０３）は、押し出しされた金属で成形され、溝（２２２）を有し、前記溝は、ラック（１０２）内に水平に設置された対応する型のラックレール（２２３）を受けるように、前記左側面壁と前記右側面壁の各々の外表面に沿って延びる、請求項３０から３８のいずれか１項記載の電子装置。
【請求項４０】
前記ボックス（１１３）は左側面壁（２０２）と右側面壁（２０３）を備え、前記両側面壁（２０２，２０３）は、押し出しされた金属で成形され、溝（２２２）を有し、前記溝は、ラック（１０２）内に水平に設置された対応する型のラックレール（２２３）を受けるように、前記左側面壁と前記右側面壁のいずれかの外表面に沿って延び、前記外側スライドレール（５１１）は、前記収容部に異なる高さに設けられる、請求項３８記載の電子装置。
【請求項４１】
ラック（１０２）内に設置される電子装置（１０１，１３０１，１６０１）であって、
左側面壁（２０２）と右側面壁（２０３）を有するボックス（１１３）を備え、
前記両側面壁（２０２，２０３）は、押し出しされた金属で成形され、溝（２２２）を有し、前記溝は、ラック内に水平に設置された対応する型のラックレール（２２３）を受けるように、前記左側面壁と前記右側面壁のいずれかの外表面に沿って延びる、電子装置。
【請求項４２】
前記溝（２２２）は、ラック内に水平に設置されたラックレール（２２３）上で外に向かって延びる縁（５２３）の後ろに位置するように内に向かって延びる縁（５２２）を有する、請求項４１記載の電子装置。
【請求項４３】
前記溝（２２２）は各々、実質的に平行な２つの側面と、該側面の各々に沿って内に向かって延びる縁（５２２）を有する、請求項４１記載の電子装置。
【請求項４４】
２本のレールが前記ラック内に設置され、対応する前記２本のラックレール（２２３）の１本は、前記側面壁（２０２，２０３）内の前記溝（２２２）内に設置される、ラック内に実質的に水平に設置された請求項４１から４３のいずれか１項記載の電子装置。
【請求項４５】
前記溝（２２２）は、対応する前記ラックレール（２２３）の１本の外に向かって延びる縁（５２３）の後部に設置された内に向かって延びる縁（５２２）を有する、請求項４４記載の電子装置。
【請求項４６】
前記ラックレール（２２３）は、アルミニウム又はアルミニウム合金から押し出しにより形成され、Ｔ字形の横断面を有する請求項４４又は４５記載の電子装置。
【発明の詳細な説明】
【技術分野】
【０００１】
本発明は、データを記憶し、記憶されたデータを提供するデータ記憶装置に関する。
【背景技術】
【０００２】
大量のデータの保存のために、又はＲＡＩＤ（redundant array of inexpensive disks：費用のかからないディスクの重複する配列）システムとして構成されるデータ記憶装置は公知である。この種のデータ記憶装置は、複数のディスクドライブとディスクドライブにデータを入力し、出力して制御する１又は２以上の制御部から構成される。データ記憶装置は、典型的にはラック空間の１Ｕから６Ｕ（１から６ラックユニット）を占める標準サイズ・ラックユニット内に配置され、そして、他の設備、おそらく他のこの種のデータ記憶装置とラックを共有することができる。
時には、例えば、欠陥のあるドライブ又はグレードアップの必要があるドライブを交換する目的のために、ディスクドライブにアクセスする必要のあることがある。データ記憶装置の中には、ディスクドライブへのアクセスは、データ記憶装置の外側主要筐体の一部を形成するパネルを除去することによって可能になるものがある。
【０００３】
近年、ディスクドライブと、制御部に接続されたケーブルとの間を電気的に接続する別個の支持構造に支えられた数グループに編成されたディスクドライブを有するデータ記憶装置が知られている。各支持構造は、データ記憶装置の外側主要筐体から前方に摺動するが、電気的にはケーブルによって制御部に接続された状態である。そのような装置は、米国特許出願公開第２００７／０２３０１１０Ａ１号に開示されている（特許文献１参照）。
【先行技術文献】
【特許文献】
【０００４】
【特許文献１】米国特許出願公開第２００７／０２３０１１０号明細書
【発明の概要】
【発明が解決しようとする課題】
【０００５】
このようなデータ記憶装置の第１の問題点は、ディスクドライブの上に冷却空気の流れを供給するように構成されている送風機に関する。該装置の通常運転中、送風機からの空気の流れは、ディスクドライブの上を通らなければならないように、外側主要筐体によって抑えつけられるの。しかしながら、もし、例えば不良なディスクドライブを交換するために、支持構造の１台が外側主要筐体から引き出されると、空気の流れはもはや抑えつけられないのでディスクドライブの冷却効率は低下する。
【０００６】
このようなデータ記憶装置のさらなる問題点は、データ記憶装置内のディスクドライブの配列が柔軟性に欠けることに関する。例えば特別なタイプの特別な数のディスクドライブを有するデータ記憶装置が使用されたならば、保存容量及び／又は装置の性能を向上させるための選択が限定される。
この問題点は、彼／彼女の現在の要求、現在の利用できる技術、現在の使用できる予算上購入しようとするデータ記憶装置の潜在的所有者にとって深刻である。つまり、その装置は購入されるであろうが、すぐに不十分になり交換が必要になるであろう。
【課題を解決するための手段】
【０００７】
［簡単な発明の開示］
本発明の第１観点では、データを記憶し、記憶データを提供するデータ記憶装置（１３０１，１６０１）であって、複数のディスクドライブ（４０１，１６０５）への信号を制御する制御回路を含む主要筐体（１１３）と、ディスクドライブに各々接続された複数の第１コネクタ（４０４）と、ディスクドライブと制御回路を冷却する空気の流れを供給する送風機（６０１，６０２）とを有する、第１の型の、第１ユニット（１３１０，１３１２，１６１１，１６２２）と、各々が制御回路から信号を提供するように第１ユニットに接続される第２コネクタ（４１４）を有する複数のケーブル（４１２）と、第１ユニットとは異なる第２の型の第２ユニット（１３０２，１６０２）とを備え、主要筐体は、各々が第１ユニットを支持するように構成された複数の取付機構（５０８Ａ，５０８Ｂ，５０９Ａ，５０９Ｂ，５１０Ａ，５１０Ｂ）を有し、第１ユニットは、主要筐体内へ摺動して入るべく取り付けられるように、複数のケーブルの第１のケーブルに接続され、複数の取付機構の第１の取付機構に取り付けられ、第２ユニットは、複数の取付機構の第２の取付機構で支持され、主要筐体へ摺動して入るように取り付けられ、複数のケーブルの第２のケーブルに接続され、制御回路を冷却する空気の流れを供給する送風機を有し、主要筐体から着脱可能であり、第１ユニットと交換可能である、データ記憶装置を提供する。
【０００８】
好ましい態様では、取付機構は主要筐体内に取り付けられた第１のレール（５１１）を含み、第１ユニット及び第２ユニットは各々、第１のレールの１本と協働するように構成された第２のレール（５１２）を有し、第２のレールが第１のレールに関して摺動できるのが好ましい。
上記態様では、第１ユニット及び第２ユニットは各々２つの側壁（５０３，５０４）を有するＵ字形経路（５０２，１４０１）を備え、側壁は各々、該側壁に取り付けられた第２のレール（５１２）の１本を有するようにすることができる。この場合、側壁の１つは、側壁に第１の高さに取り付けられた第２のレール（５１２）の１本を有し、他の１つは、側壁に異なる第２の高さに取り付けられた第２のレール（５１２）の１本を有するのが好ましい。両側壁の間隔、つまり第１ユニット及び第２ユニットの幅を極小化できるからである。
【０００９】
本発明の第２観点では、データを記憶し、記憶データを提供するデータ記憶装置（１０１，１３０１，１６０１）であって、主要筐体（１１３）と、データ記憶要素（４０１）に接続した複数のコネクタ（４０４）を有し、データ記憶要素へのアクセスを提供するために主要筐体から摺動して出ることができるように、主要筐体内へ摺動可能に取り付けられた複数のユニット（１１０，１１１，１１２）と、データ記憶要素を冷却する空気の流れを供給するように構成された送風機（６０１，６０２）とを備え、複数のユニットは各々、データ記憶要素が中に設置される経路（５０２）を有し、送風機は、複数のユニットの１台が主要筐体内に位置しているとき、及び複数のユニットの１台が主要筐体から摺動して出ているとき、経路を通って空気の流れを供給するように構成されている、データ記憶装置を提供する。
【００１０】
上記態様では、主要筐体は、複数のユニットの１台を支持するように各々構成された複数の取付機構（５０８Ａ，５０８Ｂ，５０９Ａ，５０９Ｂ，５１０Ａ，５１０Ｂ）を有することが好ましい。
更に、複数の取付機構は、各々前記主要筐体内に取り付けられた第１のレール（５１１）を含み、複数のユニットの各１台は第１のレールの１本と協働するように構成された第２のレール（５１２）を有し、第２のレールが第１のレールに関して摺動できるのが好適である。
【００１１】
また、上記態様では、複数のユニットの各１台は、２つの側壁（５０３，５０４）を有するＵ字形経路（５０２，１４０１）を備え、側壁は各々、該側壁に取り付けられた第２のレールの１本を有することができる。この場合、側壁の１つは、該側壁に第１の高さに取り付けられた第２のレールの１本を備え、他の１つは、該側壁に異なる第２の高さに取り付けられた第２のレールの１本を有することがあり、複数のユニットの各１台は送風機を有するのが好ましい。両側壁の間隔、つまり第１ユニット及び第２ユニットの幅を狭くできるので、データ記憶装置の幅を極小化できるメリットがある。
【００１２】
本発明の第３観点では、データを記憶し、記憶データを提供するデータ記憶装置（１０１，１３０１，１６０１）であって、主要筐体（１１３）と、主要筐体内に設置された電力供給部（２０６，２０７）と、電力供給部とデータ記憶装置の他の構成要素とを接続する複数の電気コネクタを支持し、主要筐体内に設置された支持パネル（２０１）と、複数のデータ記憶要素を有し、データ記憶要素へのアクセスを提供するために主要筐体から摺動可能に主要筐体内へ摺動して取り付けられる複数のユニット（１１０，１１１，１１２）と、複数のケーブルモジュール（２１０、２１１、２１２）とを備え、複数のケーブルモジュールは各々、複数のユニット（１１２）の１台に接続するように構成された第１の端に第２コネクタ（４１４）と、支持パネルで支持された電気コネクタの１つに接続するように構成された第２の端に第３コネクタ（４１３）を有するケーブル（４１２）と、支持パネルへ手動でアクセスし、手動で剛性構造が移動することによって第３コネクタが切断されるのを防止する障害物を提供し、第３コネクタを支持する可動の剛性構造とを含む、データ記憶装置を提供する。
【００１３】
好ましい態様では、ケーブルモジュール（２１０、２１１、２１２）は、支持パネル（２０１）で支持された電気コネクタの１つに第３コネクタが接続される運転位置へ剛性構造が移動することができる第１の構成から移動するように構成されたデバイスを備え、そして、デバイスは、剛性構造が運転位置へ移動するのをデバイスが防止する第２の構成から移動するように構成されているのが好ましい。
更に、デバイスは、剛性構造が運転位置から移動するとき、自動的に第２の構成に移動するように構成されているのがより好ましい。
【００１４】
また、上記態様では、ケーブルモジュールは各々、各ユニットが主要筐体から摺動して出るとき、各ケーブルの一部に沿って延びるように構成された収縮可能ガイド部材を備え、収縮可能ガイド部材は、各ユニットが部材が主要筐体の中へ摺動して入る間、巻くように構成されるのが好ましい。
更に、ガイド部材は、一方向へは容易に曲がり、反対方向へは容易に曲がらないように構成された細長形状であることがより好ましく、ガイド部材が巻くとき第１の方向に曲がり、ケーブルを誘導するとき、反対方向に曲がりにくくすることができる。
【００１５】
本発明の第４観点では、ラック（１０２）内に据え付けられる電子装置（１０１，１３０１，１６０１）であって、ボックス（１１３）と、ボックス内に設置され、一方の側に第１の区画を、反対側に第２の区画を有する区画壁要素（５１６）と、第１の区画内のスライドレール（５０８Ａ，５０８Ｂ）上に設置された第１のユニット（１１０）と、第２の区画内のスライドレール（５０９Ａ，５０９Ｂ）上に設置された第２のユニットと（１１１）を備え、区画壁要素は、第１のユニットを支持している第１のスライドレール（５０８Ｂ）と、第２ユニットを支持している第２のスライドレール（５０９Ａ）を支持し、第１のスライドレールと第２のスライドレールとの間の水平間隔が減少するように、第１のスライドレールは第１の高さで支持され、第２のスライドレールは異なる第２の高さで支持される、電子装置を提供する。
【００１６】
好ましい態様では、ボックス（１１３）は、いずれもアルミニウム合金の押し出しによって成形された第１の溝を有する上部の壁（５１４）とを備え、区画壁要素（５１６，５１７）は、第１の溝に設置された上端と第２の溝に設置された下端とを有する。また、ボックス（１１３）は左側面壁（２０２）と右側面壁（２０３）を備え、両側面壁（２０２，２０３）は、押し出しされた金属で成形され、収納部を有し、外側スライドレール（５１１、本明細書において単に「外側の金属レール」あるいは「第１のレール」ということがある。）は各収納部内に設置される。
【００１７】
また、上記態様では、ボックス（１１３）は左側面壁（２０２）と右側面壁（２０３）を備え、両側面壁（２０２，２０３）は、押し出しされた金属で成形され、溝（２２２）を有し、溝（２２２）は、ラック（１０２）内に水平に設置された対応する型のラックレール（２２３）を受けるように、左側面壁と右側面壁の各々の外表面に沿って延び、外側スライドレール（５１１）は、収容部に異なる高さに設けられるのが更に好ましい。
【００１８】
本発明の第５観点では、ラック（１０２）内に設置される電子装置（１０１，１３０１，１６０１）であって、左側面壁（２０２）と右側面壁（２０３）を有するボックス（１１３）を備え、両側面壁（２０２，２０３）は、押し出しされた金属で成形され、溝（２２２）を有し、溝は、ラック内に水平に設置された対応する型のラックレール（２２３）を受けるように、左側面壁と右側面壁のいずれかの外表面に沿って延びる、電子装置を提供する。
【図面の簡単な説明】
【００１９】
【図１】図１は本発明に係るデータ記憶装置１０１を示す説明図である。
【図２】図２はデータ記憶装置１０１の正面上部と左側面を示す説明図である。
【図３】図３はデータ記憶装置１０１の背面、上部、左側面を示す説明図である。
【図４】図４はデータ記憶装置１０１を示す簡略断面図である。
【図５】図５はデータ記憶装置１０１を示す更なる断面図である。
【図６】図６は外側主要筐体１１３から取り外された支持ユニット１１２を示す斜視図である。
【図７】図７はデータ記憶装置１０１から取り外されたケーブルモジュール２１２を示す説明図である。
【図８】図８は破線で輪郭のみ示した電気ケーブル４１２を具備するケーブルケーブルモジュール２１２を示す説明図である。
【図９】図９はケーブルモジュール２１２を示す側面図である。
【図１０】図１０は接続モジュール９１０を示し、図１０Ａ、図１０Ｂ、図１０Ｃは各々斜視図、簡略底面図、簡略断面図である。
【図１１】図１１は外側主要筐体１１３から引き出された支持ユニット１１０を具備し、ラック１０２に取り付けられたデータ記憶装置１０１を示す説明図である。
【図１２】図１２は外側主要筐体１１３から引き出された支持ユニット１１０と開いた支持ユニット１１２の蓋５０５とを具備するデータ記憶装置１０１を示す説明図である。
【図１３】図１３は本発明に係る第２のデータ記憶装置１３０１を示す説明図である。
【図１４】図１４は中間ユニット１３０２を示す側面図である。
【図１５Ａ】図１５Ａはデータ記憶装置１３０２をディスクドライブを含む支持ユニットと交換する手順を示す説明図である。
【図１５Ｂ】図１５Ｂはデータ記憶装置１３０２をディスクドライブを含む支持ユニットと交換する手順を示す説明図である。
【図１５Ｃ】図１５Ｃはデータ記憶装置１３０２をディスクドライブを含む支持ユニットと交換するプロセスを示す説明図である。
【図１５Ｄ】図１５Ｄはデータ記憶装置１３０２をディスクドライブを含む支持ユニットと交換する手順を示す説明図である。
【図１５Ｅ】図１５Ｅはデータ記憶装置１３０２をディスクドライブを含む支持ユニットと交換するプロセスを示す説明図である。
【図１５Ｆ】図１５Ｆはデータ記憶装置１３０２をディスクドライブを含む支持ユニットと交換する手順を示す説明図である。
【図１５Ｇ】図１５Ｇはデータ記憶装置１３０２をディスクドライブを含む支持ユニットと交換する手順を示す説明図である。
【図１５Ｈ】図１５Ｈはデータ記憶装置１３０２をディスクドライブを含む支持ユニットと交換する手順を示す説明図である。
【図１６】図１６は他の２台の支持ユニットとは異なるタイプのディスクドライブを含む支持ユニットを具備するデータ記憶装置を示す説明図である。
【図１７】図１７Ａは送風機モジュールがなく、ディスクドライブ４０１が実装されていない支持ユニット１１２を示す平面図、図１７Ｂは送風機モジュールがなく、ディスクドライブ４０１が実装されていない支持ユニット１６０２を示す平面図である。
【発明を実施するための形態】
【００２０】
以下、添付図面を参照しながら本発明の実施態様について詳細に説明するが、本発明は、これに限定されて解釈されるものではなく、本発明の範囲を逸脱しない限りにおいて、当業者の知識に基づいて、種々の変更、修正、改良を加え得るものである。
【００２１】
［図１］
本発明に係るデータ記憶装置（本明細書において「電子装置」といわれることがある。）１０１は、図１に示すようにラック１０２に取り付けられる。
ラック１０２は、国際標準ＥＩＡ−３１０にしたがって作られるので、正面パネル１０３から背部パネル１０４までは指定された深さを有する。同様に、ラック１０２は、第１レール１０５と第２レール１０６の間に標準の間隔を有する。第１レール１０５と第２レール１０６は、正面パネル１０３の一部を形成し、データ記憶装置１０１などの装置を取り付け、支持することができるように孔１０７を有する。
【００２２】
データ記憶装置１０１は、一般的に矩形形状であるが、その前端に取付プレート１０８を有する。取付プレート１０８は開口を有しており、ラック１０２の第１及び第２レール１０５，１０６にデータ記憶装置を取り付けることができる。図１に示すように、大部分のデータ記憶装置１０１は、ラック１０２の第１及び第２レール１０５，１０６の間を通ることができる幅に設計されており、そして、データ記憶装置１０１が取り付けられるとき、データ記憶装置１０１の後端１０９とラック１０２の背部パネル１０４との間に確実に隙間ができる深さに設計されている。
【００２３】
データ記憶装置１０１は、いくつかのデータ記憶要素（本明細書において「ディスクドライブ」ということがある。）４０１を含む。本実施態様では、データ記憶装置１０１は、２０個ずつの３グループに配列された６０個の３．５インチ・ディスクドライブ形として６０個のデータ記憶要素を含む。２０個のディスクドライブの各グループは、データ記憶装置１０１の主要部１１４内に設けられた空間内に設置される３台の支持ユニット１１０，１１１，１１２のうちの１台に取り付けられる。各ディスクドライブは、データ記憶装置１０１内に設置される支持ユニットと制御部とを接続する可撓性ケーブルによって、支持ユニットを介して制御部に接続される。
【００２４】
データ記憶装置は、ディスクドライブに保存されたデータにアクセスし、及び／又は編集する１又は２以上のコンピュータに接続される。データ記憶装置と１又は２以上のコンピュータとの間の通信は、周知のインターフェースとプロトコルによって行われるであろう。例えば、通信は、ＬＡＮ、ＷＡＮ、ＳＡＮ、インターネットなどのネットワークを通じて行われるであろう。同様に、通信は、例えば、導線、光学リンク、無線通信などによって行われるであろう。
データ記憶装置１０１は、３台の支持ユニット１１０、１１１，１１２がその中に別々に支持される外側主要筐体（本明細書において単に「主要筐体」あるいは「ボックス」ということがある。）１１３を有しているので、支持ユニットは各々、他の２台の支持ユニットと独立して外側主要筐体１１３から摺動して前方に引き出すことができる。
【００２５】
［図２及び図３］
図２及び図３は各々データ記憶装置１０１を示す。図２はデータ記憶装置１０１の正面上部と左側面を示し、図３はデータ記憶装置１０１の背面、上部、左側面を示す。主要筐体１１３は、数種のアルミニウム合金の押し出しにより成形され、実質的に矩形の箱形状であり、左側面、右側面、上面及び底面は閉じた壁であり、正面と背面に２つの開口端を有する。正面の開口端から主要筐体１１３内に形成された３台の支持ユニット１１０，１１１，１１２用空間にアクセスすることができる。同様に、背面の開口端からデータ記憶装置１０１の後部に設置された構成要素のための主要筐体内にアクセスすることができる。支持ユニット１１０，１１１，１１２が主要筐体の前部の約３分の２を占め、他の構成要素が後部３分の１を占める。
【００２６】
主要筐体１１３を成形する押し出しは、溝２２２も形成する。溝２２２は、左右側面壁２０２，２０３各々の外側表面に沿って延び、ラック内に水平に据え付けられた、対応する型のレールを受けるように設けられる。適切なラックレール２２３を図２に示す。レール２２３は、ラック１０２にボルトで取り付けられ、ラックの前面から背面まで水平に延びる。次に、データ記憶装置１０１の後端にある溝２２２の端は、レール２２３の前方上に置かれ、次に、レール２２３に沿ってデータ記憶装置１０１は定位置に摺動して戻される。次に、データ記憶装置１０１は取付プレート１０８（図１に示す。）を通して位置付けられた螺子で定位置に固定される。
【００２７】
本実施態様において、レール２２３はそれ自体押し出されたアルミニウム合金から形成される。
開口２２１は、各支持ユニット１１０，１１１，１１２の前面に設けられ、データ記憶要素、制御部２０４，２０５及び電力供給部２０６，２０７を冷やすように支持ユニットを通って空気を流すことができる。
中間プレーン（本明細書において「支持パネル」ということがある。）２０１と呼ばれる印刷回路基板は、外側主要筐体１１３の側面壁２０３，２０３に垂直に外側主要筐体１１３内に据え付けられる。中間プレーン３０１（図３及び図４において、外側主要筐体１１３内の位置を破線で示す。）は、外側主要筐体１１３の左右の側面壁２０２，２０３間に延び、データ記憶装置１０１の他の様々な構成要素との電気接続を提供する。印刷回路基板にはディスクドライブ４０１への信号を制御する制御回路が組み込まれている。
【００２８】
外側主要筐体１１３は、データ記憶装置１０１の後部方向で中間プレーン２０１の後ろに、２台の制御部２０４，２０５と電力供給部２０６，２０７を有する。電力供給部２０６，２０７は、２重の重複する電力供給部である。したがって、データ記憶装置１０１は、１台の電力供給部だけで運転することができる。制御部もまた、重複しているので、データ記憶装置１０１は、１台の制御部２０６又は２０７だけで運転することができる。
電力供給部２０６，２０７の背面には、電源と接続できるように電気ソケットが備えられている。電力供給部２０６，２０７は各々、供給された電気を変換することができるように構成されており、このためデータ記憶装置１０１に適切な直流電力が供給される。
【００２９】
データ記憶装置１０１はまた、３台のケーブルモジュール２１０，２１１，２１２を有する。ケーブルモジュールは各々、関連した支持ユニット１１０，１１１，１１２と一直線に並んでいる。したがって、支持ユニット１１０は関連したケーブルモジュール３１０を、支持ユニット１１１は関連したケーブルモジュール３１１を、支持ユニット１１２は関連したケーブルモジュール３１２を各々有する。３台のケーブルモジュールはすべて同様に構成され、各支持ユニットに関して同様な機能を実行する。ケーブルモジュールは各々、支持ユニット１１０，１１１，１１２と制御部２０４、２０５（中間プレーン２０１を介して）とを接続する電気ケーブルが存在する空間を画分する。各ケーブルモジュールは、１組のケーブルを含み、そのうちの１つは通常運転時には必要でない。
図３に示すように、３台のケーブルモジュール２１０、２１１、２１２は各々、ハンドル３５１を備えているので、使用者は主要筐体１１３の後ろから各ケーブルモジュールを引き抜くことができる。ケーブルモジュール２１０、２１１、２１２については、更に後述する。
【００３０】
３台の支持ユニット１１０、１１１，１１２の各々の前面は、指示要素の列を備えている。本実施態様では、指示要素はＬＥＤ（発光ダイオード）２６１のものを含む。ＬＥＤ２６１は、データ記憶装置の多くの機能要素の状況を示すために、各支持ユニットから受け取った信号にしたがって、選択的に照らされる。例えば、ＬＥＤ２６１は、各電力供給部、各制御部、支持ユニット内に取り付けられた送風機、接続ケーブルなどが正常に運転していることを示すために照らされる。
中間プレーン２０１は、電気コネクタ３２４，３２５，３２６，３２７，３４０，３４１，３４２を支持する回路基板を含み、制御モジュール２０４，２０５、電力供給部２０６，２０７及びケーブルモジュール２１０、２１１，２１２の各々の電気コネクタと協働するように構成されている。
【００３１】
［図４］
図４はデータ記憶装置１０１を示す簡略断面図である。該断面は、外側主要筐体１１３の側面壁２０３に平行で中間プレーン２０１に垂直にデータ記憶装置１０１の支持ユニット１１２を貫く。
本実施態様では、各支持ユニット１１０、１１１，１１２は同様に構成される。したがって、支持ユニット１１２に関する以下の説明は、支持ユニット１１０，１１１にも適用できる。
支持ユニット１１２は、支持ユニット板４０３と呼ばれる印刷回路基板４０３上で支持部材４０２の間に２０個の３.５インチ・ディスクドライブ４０１を含む。印刷回路基板４０３にはディスクドライブ４０１への信号を制御する制御回路が組み込まれている。ディスクドライブは５列に設置されるので、各列にはディスクドライブが４個ある。各ディスクドライブ４０１は支持ユニット板に取り付けられた電気コネクタ４０４によって、支持ユニット板４０３上の回路と電気的に接続される。
【００３２】
支持ユニット板４０３も、ライザーカード４０７を介して第１の送風機モジュール４０６に電力を供給するように２個のコネクタ４０５（図４にその１つを示す）を有する。ライザーカード４０７は、コネクタ４０５と電気接続できるように、コネクタ４０５に接続できる形状の下端を有する比較的小さい印刷回路基板である。ライザーカード４０７自体は、その上端部に固定された雌の電気コネクタ４０８を有している。コネクタ４０８は別の印刷回路基板４０９の下部を受けている。印刷回路基板４０９は、送風機モジュール４０６の一部を形成しているので、送風機モジュール４０６に電気が供給される。
【００３３】
支持ユニット板４０３は、支持ユニット１１２の正面を形成する第２の送風機モジュール４１１に電力を供給するために、前面近くに、更にコネクタ４１０を有する。送風機モジュール４１１は４つのフック４５１を備え、支持ユニット１１２の各側壁は内方へ延びる２つのピン４５２を備えている。送風機モジュール４１１は、このようにフック４５１によってピン４５２に掛けられる。支持ユニット１１２の各側壁の孔を通して位置決めされた螺子４５３は、送風機モジュール４１１を所定場所に固定するために用いられる。
【００３４】
運転中、第１の送風機モジュール４０６と第２の送風機モジュール４１１は各々、支持ユニット１１２を通して、そして、制御部（例えば制御部２０５）や電力供給部（例えば電力供給部２０７）を通して、空気が流れるように構成されている。本実施態様では、送風機モジュール４０６，４１１は各々、他の送風機モジュールの運転から独立して、ディスクドライブ４０１を冷やすのに十分な量の空気を流すことができる能力を有している。したがって、１の送風機モジュールが機能しないときには、他の送風機モジュールは、不良の送風機モジュールが交換されるまで必要な空気量を提供することができる。
【００３５】
上述のように、ケーブルモジュール２１２は２本の電気ケーブルを含む。図４は、２本の電気ケーブルの１本、ケーブル４１２、を示す。各電気ケーブルは、一端がコネクタ４１３に、他端が第１のコネクタ４１４に接続される。コネクタ４１３は、中間プレーン２０１上のコネクタ３４２の各々１つに接続され、一方、コネクタ４１４は、支持ユニット板４０３の後部端に取り付けられた２個の電気コネクタ４１５の対応する１つに接続される。
本明細書において、各々「コネクタ４０４」を「第１コネクタ（４０４）」、「コネクタ４１４」を「第２コネクタ（４１４）」、「コネクタ４１３」を「第３コネクタ（４１３）」ということがある。
【００３６】
ケーブル４１２は、支持ユニット１１２がその主要筐体１１３から前方に摺動して外へ出ることができ、一方、ケーブルは中間プレーン２０１に接続されているだけ十分な長さである。結果として、支持ユニット１１２が図４に示す通常の運転位置にあるとき、ケーブル４１２の一部は、ケーブルモジュール２１２内でいくつかのループに曲げられる。ガイド・モジュール４１６はケーブルモジュール２１２内に取り付けられ、後述するように、このモジュールは、ケーブル４１２にこのようなループがケーブルモジュールの外側で形成されないことを確実にする。
【００３７】
［図５］
図５はデータ記憶装置１０１を示す更なる断面図である。該断面は、外側主要筐体１１３の横壁２０３に垂直で中間プレーン２０１に水平にデータ記憶装置１０１の支持ユニット１１２を貫く。
支持ユニット板４０３は、支持ユニット１１２の床５０１より上で支持される。床５０１は、側壁５０３，５０４を有するＵ字形経路５０２の一部として形成される。蓋５０５は、Ｕ字形経路５０２の開口端を覆うので、ディスクドライブ４０１は、運転中、送風機モジュール４０６，４１１が空気の流れを吹き込む矩形のチューブ内で効果的に存在する。
【００３８】
蓋５０５は、ヒンジ機構５０６によってＵ字形経路の１つの側壁５０４に取り付けられる。本実施態様において、Ｕ字形経路と蓋はアルミニウムの押し出しによって形成され、ヒンジ機構５０６は押出成形の一部として形成される。側壁５０４の上端は、部分的に円柱形の外面として形成される。対応する蓋の端５０７は、同様な直径の部分的に円柱形の内面を有する溝が形成されるので、溝の前記内面が側壁５０４の上端の前記外面の周囲に位置する。
支持ユニット１１２が製造されたとき、側壁５０４の上端の一端は、蓋５０５の円柱形溝の一端内に位置し、次いで、蓋は摺動して定位置つく。溝は、その端５０７上に横切欠き（図示せず）を備えており、係止ピン（図示せず）は、側壁５０４の切欠き場所に位置する。したがって、係止ピンは、蓋５０５が側壁５０４に沿って所定位置から摺動してずれるのを防止するように切欠きの側に作用する。
【００３９】
主要筐体１１３は、上部壁５１４の内側に２つの溝を備え、下部壁５１５の内側に同様な２つの溝を備える。これらの溝は、主要筐体の前部を３区画に分ける壁区画要素５１６，５１７の各々の上下端を受けるように構成される。各区画は、支持ユニット１１０、１１１，１１２のいずれかを収納するように構成されている。本実施態様では、壁区画要素５１６，５１７は、アルミニウムの押し出しで形成される。
支持ユニット（第１の型の第１ユニット。本明細書において「第１ユニット」あるいは単に「ユニット」ということがある。）１１０、１１１，１１２は各々、２本のスライドレールによって主要筐体１１３内で支持される。支持ユニット１１０はスライドレール（本明細書において「取付機構」ということがある。）５０８Ａ，５０８Ｂで支持され、支持ユニット１１１はスライドレール５０９Ａ，５０９Ｂで支持され、支持ユニット１１２はスライドレール５１０Ａ，５１０Ｂで支持される。本実施態様では、スライドレールは、内側の金属レール（本明細書において「第２のレール」あるいは「内側スライドレール」ということがある。）５１２が外側の金属レール５１１内に低い摩擦プラスチック材料の部分５１３によって保持される摩擦スライドである。
【００４０】
主要筐体１１３は、スライドレール５０８Ａ，５０８Ｂの外側の金属レール５１１を受けるように成形された側面壁２０２，２０３の内側に沿って収容部が形成される。同様に、壁区画要素５１６，５１７には、スライドレール５０８Ｂ，５０９Ａ及びスライドレール５０９Ｂ，５１０Ａの外側の金属レール５１１を受けるために形づくられた収容部が形成される。図５に示すように、各支持ユニット１１０、１１１，１１２の２本のスライドレールは異なる高さに置かれる。こうすると、最も低いスライドレールの上端は、最も高いスライドレールの下端より下に位置する。したがって、壁区画要素５１６によって支持された２本のスライドレール５０８Ｂ，５０９Ａもまた異なる高さになる。つまり、区画壁とスライドレールが占める空間の幅が最小になる。（壁区画要素５１７によって支持されたスライドレール５０９Ｂ，５１０Ａについても状況は同様である。）このように、スライドレールを垂直に互い違いにすることによって、データ記憶装置１０１は、スライドレールの使用による利益から、３台の支持ユニット１１０、１１１，１１２を収納することができ、なお、１９インチ・ラック内に適応できるだけ十分狭くできる。
【００４１】
主要筐体１１３の側面壁２０２，２０３は、スライドレール５０８，５１１を受ける寸法だけ内側表面に沿って収容部を備えていることが注目されるであろう。図５から分かるように、スライドレール５０８，５１１を受ける収容部は異なる高さに設けられており、支持ユニット上のスライドレールの高さの違いと一致する。上述のように、主要筐体１１３は、数種のアルミニウム合金の押し出しで形成され、スライドレール５０８，５１１を受ける収容部は押出成形プロセスの間に形成される。
図２に示したラックレール２２３は各溝２２２に設けられ、その輪郭を破線で図５に示す。本実施態様において、ラックレール２２３はＴ字形の横断面を有して、溝は対応するＴ字の横断面を有する。つまり、溝２２２の両側には、１対の内側に延びる縁５２２を備え、その後方にラックレール２２３上を外側に延びる縁５２３がある。
【００４２】
代替の実施態様では、ラックレール２２３及び溝２２２がＬ字形の横断面であり、したがって、ラックレールに沿って形成された１つの縁の後方に位置するように、各溝は１つの縁を有する。
図５から明らかなように、ラックレール２２３の大部分の幅は、主要筐体１１３の側面壁内に延びる、そして、これは主要筐体１１３の側面壁に形成される溝２２２の存在によって可能になる。その結果、データ記憶装置１０１は、ディスクドライブを収容できる幅を不必要に減らすことのなくラック１０２内に、簡単かつ確実に取り付けられる。
代替の実施態様では、Ｕ字形経路５０２は薄板鋼をＵ字形に曲げて作られる。
別の代替の実施態様では、スライドレール５０８Ａ，５０８Ｂ，５０９Ａ，５０９Ｂ，５１０Ａ，５１０Ｂは各々、３区画摩擦スライドに取り替えられ、金属摺動表層に金属を有する。
【００４３】
［図６］
図６は、外側主要筐体１１３から取り外された支持ユニット１１２を示す斜視図でありる。図６では、送風機モジュール４０６は取り外されている。
図６に示すように、蓋５０５は、床５０１と側壁５０３，５０４によって形成されるＵ字形経路５０２の最上部の大部分を覆う。しかしながら、蓋５０５は、通常送風機モジュール４０６を含む支持ユニット１１２の一部の上には延びない。したがって、送風機モジュール４０６は、蓋５０５を開けることなくＵ字形経路５０２から取り外される。
送風機モジュール４０６は、プラスチック材料で形成されたフレーム６０３上に据え付けられた２台の送風機６０１，６０２を含む。Ｕ字形経路の各側壁は２つの溝６０４を備えており、フレーム６０３の各側面は、溝６０４に当てはまるように作られた外に向かって延びる２つの延伸部材６０５を備えている。したがって、取り付けられると、外に向かって延びる延伸部材は、溝６０４中に位置し、送風機モジュール４０６を懸架する。
【００４４】
送風機６０１，６０２は、下方へ延びる２つの印刷回路基板４０９と電気的に接続される。ライザーカード４０７（その１つを図６に示す）は、Ｕ字形の経路の中に対称に取り付けられるので、外に向かって延びる延伸部材６０５が溝６０４中に置かれるとき、印刷回路基板４０９の下部は、ライザーカード４０７上の電気コネクタ４０８内にある。このことによって、送風機モジュール４０６は、単に送風機モジュールのプラグを抜き、新しいモジュールのプラグを差し込むことで取り替えられる。
【００４５】
［図７］
図７はデータ記憶装置１０１から取り外されたケーブルモジュール２１２を示す。ケーブルモジュール２１０、２１１，２１２は実質的に同一であるので、ケーブルモジュール２１２に関する以下の説明は、同様に他の２台のケーブルモジュールに適用できる。ケーブルモジュール２１２は、床から上方へ延びる側壁７０１，７０２を有する金属のＵ字形経路上に形成される。ケーブルモジュール２１２の後端は背面壁７０３によって閉じられる。そして、ケーブルモジュール２１２の前端は２つの同様な電気コネクタ４１３を支持する正面壁７０４によって部分的に閉じられる。電気コネクタ４１３は、ケーブルモジュール２１２の正面壁７０４に固定され、中間プレーン２０１上の対応する電気コネクタ３４２と接続するように構成される。電気コネクタ４１３は各々電気ケーブル４１２と電気的に接続される。したがって、電気ケーブル４１２は、各第１エンドにて電気コネクタ４１３の各エンドと接続し、各反対エンドにて電気コネクタ４１４の対応する各エンドと接続する。電気コネクタ４１４は、支持ユニット１１２上の対応する電気コネクタ４１５の１つと接続するように構成される。
【００４６】
ケーブルモジュール２１２もまた、２本の電気ケーブル４１２の間を背面壁７０３から正面壁７０４までケーブルモジュール２１２に沿って中央に延びる仕切り壁７１３を有する。仕切り壁７１３は、ケーブルモジュール２１２内の空間を効率的に２つに分け、２本の電気ケーブル４１２が互いに機械的に妨害し合わないようにする役割を果たす。
狭い上部壁７２１は、背面壁７０３の最上部から前方へ延伸し、そして、安全装置７２２が上部壁７２１上に取り付けられる。安全装置７２２は、上部壁７２１に対応して形成された孔７２４を通って上方に延びたボタン７２３を有する。ボタン７２３は、ばね上に取り付けられるので、上部壁７２１から突き出る位置に押し上げられるが、指で押すと上部壁と同じレベルに押し下げられる。したがって、データ記憶装置１０１の運転中に所定の位置にケーブルモジュール２１２を置く前に、ボタン７２３を押し下げなければならない。
【００４７】
ケーブルモジュールは、外枠が側壁７０１，７０２、正面壁７０４、背面壁７０３及び床パネル９０１からなる剛性構造である。そして、例えば、ボタン７２３は、支持パネルへ手動でアクセスし、手動で剛性構造が移動することによって第３コネクタ４１３が切断されるのを防止する障害物となることが理解できるであろう。
そして、ケーブルモジュールが備える上記の構造は、（１）支持パネル２０１で支持された電気コネクタの１つに第３コネクタ４１３が接続される運転位置へ剛性構造が移動することができる第１の構成、及び（２) 剛性構造が運転位置へ移動するのを該構造が防止する第２の構成、から移動するように構成されている。
従来の信号ケーブルと異なり、ケーブル４１２は各々、１つケーブルの中に電気導線と高速信号導線（SAS（serial attached SCSI；シリアル接続を採用した小型コンピュータ・システム・インターフェース）導線）とを有する。
【００４８】
［図８］
図８は、再びケーブルモジュール２１２を示すが、電気ケーブル４１２は外郭のみを破線で示す。図８もまた、ケーブルモジュール２１２内で取り付けられたガイド・モジュール４１６の背面を示す。ガイド・モジュール７０１は、固体プラスチック材料で作られたハウジング８０２を有する。ハウジング８０２は、螺子８０３によって所定場所に固定され、螺子８０３は、ケーブルモジュール２１２の側壁７０１，７０２を貫通して延びる。ハウジング８０２は、後述するように、ガイド・モジュール４１６の内側の構成要素を支持し、電気ケーブル４１２と内側の構成要素との間に障壁を作る。
ボタン７２３が上部に据え付けられたばね８１０は、図８において破線の輪郭で示す。本実施態様では、ばね８１０とボタン７２３は、上部壁７２１の下側に一端が２つの螺子８１１で取り付けられる曲がった金属の１つ帯鋼で形成される。帯鋼の他端は、孔７２４を通って突き出るボタンを形成するように曲げられる。
【００４９】
［図９］
図９は、ケーブルモジュール２１２を示す側面図である。
側壁７０１，７０２は、床パネル９０１の長さに沿って延びるが、床パネル９０１より実質的に更に前方に延びる上部９０２を有する。したがって、開口は、側壁７０１，７０２、正面壁７０４及び床パネル９０１の間に作られる。ガイド・モジュール４１６（図９にて破線で示す。）は、この開口に隣接してケーブルモジュール２１２内に取り付けられる。
ガイド・モジュール４１６は、軸９０４に取り付けられ、接続棒９０５に当着した自由端を有する２本の一定力ばね（本明細書において単に「ばね」あるいは「ガイド部材」ということがある。）９０３を含む。図９に示す一定力ばねは、安定し、巻かれた構成であり、接続棒９０５に連結した、実質的に短く真っ直ぐな端部を有する。しかしながら、接続棒９０５を引くことによって、一定力ばね９０３は解かれるので、ケーブルモジュール２１２の正面から前方に実質的に真っ直ぐ延びることが理解できるであろう。
【００５０】
一定力ばね９０４は、格納式スチール巻き尺と同様な形状を有する。つまり、ハウジング内でコイル状に巻かれるが、延びるときには、材料が曲がることに抵抗するので実質的に強固で真っ直ぐな長さになる。一定力ばね９０３のこの特性により、電気ケーブル４１２は、延びた後、ケーブルモジュール２１２内に押し戻されるとき、ケーブルモジュールの外側で曲がりを形成しないことが確実になる。
一定力ばね９０３の自由端に固定された接続棒９０５は、ケーブル４１２の端で、第２コネクタ４１４をも含む接続モジュール９１０内に保持される。したがって、第２コネクタ４１４がケーブルモジュール２１２から前方に引き出されるとき、一定力ばねは解かれて、ケーブルモジュールから延びる電気ケーブル４１２の部分より上に延びる。
代替の実施態様では、床パネル９０１の長さは、減少し、背面壁７０３から約７５ｍｍ延びるだけである。結果として、床パネルの前端上で電気ケーブル４１２が曲がるという潜在的課題は解決できる。
【００５１】
［図１０］
図１０Ａは接続モジュール９１０の詳細を示す斜視図であり、図１０Ｂはその簡略化した底面図であり、図１０Ｃはその簡略した断面図である。
接続モジュール９１０は、第２コネクタ４１４が機械的に保持されるサドル要素１００１を含む。端板１００２Ａ，１００２Ｂは各々、いずれかの第２コネクタ４１４の一方の側でサドル要素１００１に固定される。端板１００２Ａ，１００２Ｂは各々、一定力ばね９０３の端に取り付けられる接続棒９０５を受け、保持するように形成された幅と型を有する切欠き１００３を備える。
【００５２】
図１０Ｂ及び図１０Ｃに示すように、サドル要素１００１は、底面１００５から上方へ延びる孔１００４を有する。孔１００４は、拡大した空所１００６まで延びる。この構成は、後述するように、データ記憶装置１０１について行われる修理又は更新操作中、一時的に、便利な位置に接続モジュールを止めるために使用することができる。
代替の実施態様においては、端板１００２Ａ，１００２Ｂは各々、切欠きよりむしろ孔を有する。孔は、接続棒９０５の各端を受けるように必要な大きさとする。接続棒は孔内に位置するが、端板は、ゆるやかに取り付けられるので、螺子１００７で所定の場所に締め付けられる。
【００５３】
［図１１］
多くの修復及び保全手順のために、データ記憶装置の外側主要筐体１１３から外へ支持ユニット１１０，１１１又は１１２の選択された１つを摺動させることが必要である。そのような多くの手順のために、データ記憶装置１０１は運転状態を維持し、不便さを最小限にし、ビジネス・ロスなどを最小限に抑えることができる。
図１１は、外側主要筐体１１３から引き出された支持ユニット１１２を具備し、ラック１０２に取り付けられたデータ記憶装置１０１を示す。データ記憶装置が運転している、したがって、それが適切に機能しているならば、送風機モジュール４１１，４０６は、Ｕ字形経路５０２と蓋５０５で形成されたチューブを通って冷却空気を供給し続ける。
送風機モジュール４０６が適切に運転しなくなったとき、データ記憶装置１０１はまだ運転中で、蓋５０５は閉じている状態で、プラグを外して新しいモジュールと取り替えられるであろう。
もし、送風機モジュール４１１に欠陥があるならば、螺子４５３を取り外し、蓋５０５を開け、送風機モジュールはピン４５１から外される。送風機モジュール４１１は、その後、新しいモジュールと取り替えられるであろう。
【００５４】
［図１２］
図１２は、外側主要筐体１１３から引き出された支持ユニット１１２と開いた支持ユニット１１２の蓋５０５とを具備するデータ記憶装置１０１を示す。このように、支持ユニット２１２内のディスクドライブ４０１にアクセス可能である。欠陥あるディスクドライブが支持ユニット１１２から取り外された後には、空の溝１２０１が残る。新しいディスクドライブ１２０２は、故障したディスクドライブを交換するために、空の溝１２０１に挿入される。蓋５０５が開いている間、Ｕ字形経路５０２の上部を通って冷却空気の一部が失われてる。しかしながら、ディスクドライブ１２０２が適所に入るとすぐに、蓋は冷却空気の流れを元に戻すために閉じられるであろう。そうすると、支持ユニット１１２（第１ユニット）は、該第１ユニットのディスクドライブが設置される経路５０２を備え、空気の流れは、第１ユニットの送風機６０１，６０２によって経路５０２を通って供給される。
【００５５】
［図１３］
図１３は、本発明に係る第２のデータ記憶装置１３０１を示す。データ記憶装置１３０１は、中間ユニット（第２の型の第２ユニット、本明細書において単に「第２ユニット」又は「ユニット」ということがある。）１３０２のタイプがユニット１３１０，１３１２と異なる以外は、データ記憶装置１０１と同一である。ユニット１３１０，１３１２は、基本的にはデータ記憶装置１０１の支持ユニット１１０，１１２と同じであり、各々２０個のディスクドライブを含む。しかしながら、ユニット１３０２は、ディスクドライブを含まず、そして、いかなるディスクドライブをも含むように構成されていない。結果として、データ記憶装置１３０１の総コストは、データ記憶装置１０１の総コスト比較して低い。
更に後述するように、ユニット１３０２は、送風機モジュール４０６，４１１を備えているので、データ記憶装置１３０１の空気冷却制御部や電力供給部でユニット１３１０，１３１２を援助することが可能である。ユニット１３０２もまた、ＬＥＤ１３６１を備えているので、支持ユニット１３１０，１３１２のＬＥＤ２６１と同様な方法で状況に関して指示を与えることができる。
【００５６】
［図１４］
図１４は、中間ユニット１３０２を示す側面図である。支持ユニット１１２のように、ユニット１３０２は蓋１４０２によって上部が覆われたＵ字形経路１４０１を含む。Ｕ字形経路１４０１と蓋１４０２は、Ｕ字形経路５０２と蓋５０５と同じ方法で、押し出されたアルミニウムで形成される、しかし、Ｕ字形経路１４０１と蓋１４０２は、長さが短く、長さ約２０ｃｍだけである。
内側スライドレール１４０３Ａ，１４０３Ｂは、支持ユニット１１２に取り付ける内側スライドレールと同じ構成であり、Ｕ字形経路１４０１の側壁に固定される。このように、ユニット１３０２は、支持ユニット１１２のような支持ユニットの替わりに、データ記憶装置１０１又は１３０１などのデータ記憶装置内に据え付け可能である。
【００５７】
印刷回路基板１４０５は、Ｕ字形経路の中に、該経路の床と平行に取り付けられる。印刷回路基板１４０５は、送風機モジュール４１１に電力を供給するために、その前端近くに電気コネクタ１４０６を、そして、ライザーカード４０７を経て送風機モジュール４０６に電力を供給するために、２個のコネクタ１４０７を備えている。２個のコネクタ１４０８は、ケーブルモジュール２１２などのケーブルモジュールの通常のケーブル４１２に接続するように構成された印刷回路基板の後端に取り付けられる。
印刷回路基板１４０５は、ディスクドライブに関する回路、コネクタ又は要素を含まない。ディスクドライブを含むことが意図されていないからである。したがって、ユニット１３０２は、支持ユニット１１２などの支持ユニットより安価に製造することができる。
【００５８】
［図１５Ａないし図１５Ｈ］
中間ユニット１３０２は、支持ユニット１３１０，１３１２などの支持ユニットと同様なタイプのスライドレールと電気接続を有する。したがって、データ記憶装置１３０１からユニット１３０２を取り外し、支持ユニット１３１０，１３１２と同様なタイプの支持ユニットと取り替えることが可能である。このようにすると、データ記憶装置１３０１は、４０個のディスクドライブを有するデータ記憶装置から６０個のディスクドライブを有するデータ記憶装置に改良できる。
同様に、中間ユニット１３０２などのディスクドライブを含まない２台のユニットとともに、ユニット１３０１などの２０個のディスクドライブを有する１台の支持ユニットを含むデータ記憶装置をもつことも可能である。こうすると、データ記憶装置は全体で２０個のディスクドライブを備えているだけである。
このデータ記憶装置は、その後、中間ユニット１３０２などのディスクドライブを含まないユニットの１台又は両方を、ユニット１３１０、１３１１、１３１２などの２０個のディスクドライブを有する支持ユニットと交換することによって４０又は６０個のディスクドライブを含むように改良できる。
【００５９】
図１５Ａないし図１５Ｈは、ユニット１３０２をディスクドライブを含む支持ユニットと交換する手順を示す。これらの各図において、データ記憶装置１３０１の断面が示されており、該断面は、（３つのケーブルモジュールの）中間のケーブルモジュール２１１を通り、ユニット１３０２の側壁に並行に貫く。
図１５Ａは、データ記憶装置１３０１の最初の状態を示す。データ記憶装置１３０１は運転中であり、そして、ユニット１３０２の送風機モジュール４０６，４１１は、制御部２０４と電力供給部２０６を冷却するために冷却空気を供給する。データ記憶装置１３０１の残部が運転中にユニット１３０２は交換される。したがって、図１５Ａの構成において、ケーブル４１２はユニット１３０２に電力を供給している。（典型的には、ユニット１３０２を含めて、装置に供給される電力は４８０ＶＡである。）
【００６０】
ユニット１３０２を電力供給部から分離するために、ボタン７２３がばねの動作で持ち上がるまで、ケーブルモジュール２１１は、データ記憶装置１３０１の運転位置から引き出される。この運動によって、中間プレーン２０１上の対応するコネクタ３４１から、ケーブルモジュール２１１の電気コネクタ４１３を解放することができる。こうして、ユニット１３０２への電力は切断される。
運転位置からケーブルモジュール２１１を引く人は、中間プレーン２０１上のコネクタから引くために、ケーブルモジュールの先端のコネクタ４１３の近くに行く必要がないことに注目されるであろう。事実、ケーブルモジュール２１１の背壁７０３は、コネクタと中間プレーン２０１へのアクセスを防止する安全障害となる。
【００６１】
図１５Ｂは、ケーブルモジュール２１１の移動後のデータ記憶装置２１１を示す。ボタン７２３は、上に突き出ているので、ケーブルモジュール２１１が突然運転位置に再挿入することを防止できる。したがって、ユニット１３０２は安全に交換できる。
ユニット１３０２は、次に図１５Ｃに示すように、データ記憶装置１３０１の主要筐体１１３から外へ摺動して出る。Ｕ字形経路１４０１は、完全に主要筐体１１３の外側にある、しかしながら、ユニット１３０２は、また、内側スライドレール１４０３Ａ，１４０３Ｂによってデータ記憶装置１３０１と繋がっている。
【００６２】
次に、保持具１５０５が、主要筐体１１３の前面下部でケーブルモジュール２１１の２本のケーブル４１２の間の位置に取り付けられる。図１５Ｄは、主要筐体に取り付けられている保持具１５０５を示す。保持具１５０５は、平坦なプレートの一方の側に延設された鉤形端１５０７を有する。鉤形端１５０７は、主要筐体１１３の前面端部のまわりにフックするように作られている。支柱１５０８は、平坦なプレート１５０６の反対側から延びる。支柱１５０８は、接続モジュール９１０の下側に形成された孔１００４を通して取り付けられるように構成された拡大された頭部を有する。
【００６３】
保持具１５０５の装着後、電気ケーブル４１２の端の電気コネクタは、ユニット１３０２の電気コネクタ１４０８から切り離される。接続モジュール９１０は、ケーブル４１２の端に電気コネクタを運び、それから、孔１００４を支柱１５０８上部で、その下側に置くことによって一時的に保管する。支柱１５０８の拡大した頭部は、接続モジュール９１０内の空所に入るので、接続モジュール９１０は支柱１５０８上へ効率的に引っ掛けられる。
【００６４】
図１５Ｅは、保持具１５０５上に一時的に保管された接続モジュール９１０を有するデータ記憶装置１３０１を示す。
一定力ばね９０３の端に固定された接続棒９０５は、接続モジュール９１０内の切欠き１００３内に位置したままである。したがって、接続モジュール９１０は、主要筐体１１３内へ押されるが、保持具１５０５によって所定場所に保持される。
ユニット１３０２は、次いで、データ記憶装置１３０１１から更に外へ摺動する、そして、内側スライドレール１４０３Ａ，１４０３Ｂは、データ記憶装置１３０１の主要筐体の外側レールから切り離される。
次に、新しい支持ユニット（図１５Ｆの１５１０）がユニット１３０２の代わりに取り付けられる。
【００６５】
本実施態様において、新しい支持ユニット１５１０は、支持ユニット１１２と同一であり、その構成要素には、支持ユニット１１２のものと同じ参照番号を与える。
第１に、新しい支持ユニット１５１０の内側のレール５１２は、データ記憶装置１３０１の外側のレール５１１内に位置する。次に、新しい支持ユニット１５１０は、支持ユニット板４０３の後部端の電気コネクタ４１５がアクセスできる位置まで、主要筐体１１３の方へ摺動する。次に、接続モジュール９１０は、保持具１５０５からホックを外され、接続モジュール９１０によって運ばれた電気コネクタは、支持ユニット１５１０の電気コネクタ４１５に接続される。その後、保持具は取り外される。
【００６６】
図１５Ｆは、新しい支持ユニット１５１０が接続されたデータ記憶装置１３０１を示す。
次に、図１５Ｇに示すように、支持ユニット１５１０は主要筐体１１３内に摺動して入り、通常の運転位置となる。
最後に、ケーブルモジュール２１１のボタン７２３が押され、ケーブルモジュール２１１は通常の運転位置へ押し戻される。そうすると、ケーブルモジュール２１１のコネクタ４１３は中間プレーン２０１上のコネクタと再接続する。このようにして、電力は支持ユニット１５１０に供給され、そして、制御部２０４は支持ユニット１５１０のディスクドライブ４０１にアクセスすることができる。
【００６７】
［図１６］
本発明の更なる実施態様として、データ記憶装置の少なくとも１台の支持ユニットは、他の２台の支持ユニットとは異なるタイプのディスクドライブを含む。図１６は、この種のデータ記憶装置１６０１を示す横断面図である。データ記憶装置は、ユニット１１２と実質的に同一である２台の支持ユニット１６１１，１６１２を含む。したがって、各々３.５インチ・ハードディスクドライブを２０個ずつ有する。第３の支持ユニット（第１の型の第２ユニット、本明細書において「第２ユニット」あるいは単に「ユニット」ということがある。）１６０２は、支持ユニット（第１ユニット）１６１１，１６１２と同様な構成であるが、３２個の２．５インチ・ハードディスクドライブ１６０５に接続するように構成されたコネクタ１６０４を有する支持ユニット板１６０３を含む点が異なる。ハードディスクドライブ１６０５は、標準２.５インチ・ハードディスクドライブの形状要素で厚さ１５ｍｍである。
このように、第１ユニットのディスクドライブは３.５インチ・ハードディスクドライブの第１の形状要素を有し、第２ユニットは上記のように第１の形状要素とは異なる標準２.５インチ・ハードディスクドライブの形状要素を有する。
【００６８】
支持ユニット１６０２は、他の支持ユニットと同様なスライドレールと、データ記憶装置の主要部に接続する他の支持ユニットと同様な電気コネクタを備えている。したがって、支持ユニット１６０２は、３.５インチ・ディスクドライブを含む支持ユニット、又はユニット１３０２と同じタイプのユニットの代替品として適している。このような交換は、図１５Ａないし図１５Ｈを参照して説明したのと同様な方法で行うことができる。
【００６９】
［図１７Ａ及び図１７Ｂ］
図１７Ａは送風機モジュールがなく、ディスクドライブ４０１が実装されていない支持ユニット１１２を、図１７Ｂは送風機モジュールがなく、ディスクドライブ４０１が実装されていない支持ユニット１６０２を示す平面図である。
支持ユニット１１２の支持ユニット板４０３は、２０個の３.５インチ・ディスクドライブの各々に接続する２０個のコネクタが取り付けられる印刷回路基板である。支持ユニット板４０３も、ライザーカード４０８を受けるための２個の電気コネクタ４０５、送風機モジュール４１１に接続するためのコネクタ４１０、そして、ケーブルモジュール２１２のケーブル４１２などのケーブルモジュールのケーブルに接続するための２個の電気コネクタ４１５を有している。
支持ユニット１６０２は、支持ユニット１１２と同様な形を有し、支持ユニット板４０３と同様な寸法と、支持ユニット板４０３について上述したのと同様なコネクタ４１０，４０５，４１５を有する支持ユニット板１６０３を含む。しかしながら、支持ユニット板１６０３は、２.５インチ・ディスクドライブを受けるように構成された３２個のコネクタ１６０４が取り付けられる印刷回路基板である。コネクタは７列に設置され、各６列には５個のコネクタが、１列には５個のコネクタが含まれる。
【００７０】
各実施態様において、データ記憶装置（例えば、データ記憶装置１０１）の支持ユニットは、スライドレールに個別に載置される、そして、支持ユニットからデータ記憶装置の中間プレーンへは、可撓性ケーブルによって接続される。結果として、１台の支持ユニットのカード（例えば、支持ユニット１１２の支持ユニット板４０３）から他の支持ユニットの支持ユニット板へ伝わる機械振動は比較的小さい。支持ユニットがアルミニウムで形成されていることは、アルミニウムは生じた振動を伝達する性質が小さい傾向があるから上記の実施態様に適する。
【００７１】
更なる代替の実施態様では、振動隔離の支持ユニットを利用する。本実施態様では、データ記憶装置は、第１ユニットのディスクドライブは第１のインターフェイスを介して通信するように構成され、第２ユニットは異なる第２のインターフェイスを介して通信するように構成されたディスクドライブを含む。具体的には、第１のインターフェイスはＳＡＳインターフェイスであり、第２のインターフェイスはＳＡＴＡ（Serial Advanced Technology Attachment：シリアルＡＴＡ）インターフェイスである。
【００７２】
本実施態様では、データ記憶装置は、１台の支持ユニット内にＳＡＳディスクドライブを、他の支持ユニット内にＳＡＴＡディスクドライブを有する。一般的に、ＳＡＳディスクドライブは、ＳＡＴＡディスクドライブより多くの振動エネルギーを発生し、ＳＡＳディスクドライブも、高水準の振動エネルギーが存在する条件で使用することができる。したがって、、互いに近接する中で多くのディスクドライブを運転することは、それらが同じタイプならば可能であるが、ＳＡＳディスクドライブとＳＡＴＡディスクドライブとが近接する中で運転することは、ＳＡＴＡディスクドライブの運転効率に悪影響を与える。しかしながら、本代替の実施態様では、ＳＡＴＡディスクドライブは、ＳＡＳディスクドライブとは別の支持ユニットに取り付けられる。したがって、ＳＡＳディスクドライブで発生したエネルギーの少しの割合だけがＳＡＴＡディスクドライブに導かれる。その結果、２つのタイプのディスクは、１台のデータ記憶装置内で良好に存在することができる。
【符号の説明】
【００７３】
１０１，１３０１，１６０１  データ記憶装置（電子装置）
１０２            ラック
１０５            第１レール
１０６            第２レール
１０８            取付プレート
１１０，１１１，１１２  支持ユニット
１１３            主要筐体（外側主要筐体、ボックス）
１１４            主要部
２０１            支持パネル（中間プレーン、印刷回路基板）
２０２            左側面壁
２０３            右側面壁
２０４，２０５    制御部
２０６，２０７    電力供給部
２１０，２１１，２１２  ケーブルモジュール
２２１            開口
２２２            溝
２２３            ラックレール
３０８，３０９    ソケット（制御部ソケット）
３２４，３２５，３２６，３２７，３４０，３４１，３４２  コネクタ（電気コネクタ）
４０５，４０８，４１０，４１５，１６０４，１６０４，１６０４  コネクタ（電気コネクタ）
４０１，１６０５  ディスクドライブ（データ記憶要素）
４０２            支持部材
４０３，１６０３  支持ユニット板（印刷回路基板）
４０４            第１コネクタ（コネクタ）
４０６，４１１    送風機モジュール
４０７            ライザーカード
４１２            ケーブル（電気ケーブル）
４１３            第３コネクタ（コネクタ）
４１４            第２コネクタ（コネクタ）
４１６            ガイド・モジュール
４５３，８０３，８１１，１００７  螺子
５０１，９０１    床（床パネル）
５０２，１４０１  経路
５０３，５０４，７０１，７０２  側壁
５０５，１４０２  蓋
５０８Ａ，５０８Ｂ，５０９Ａ，５０９Ｂ，５１０Ａ，５１０Ｂ  取付機構（スライドレール）
５１１            第１のレール（外側スライドレール、外側の金属レール）
５１２            第２のレール（内側スライドレール、内側の金属レール）
５１４            上部の壁
５１５            下部の壁
５１６，５１７    区画壁要素
５２２            内に向かって延びる縁
５２３            外に向かって延びる縁
６０１，６０２    送風機
６０５            延伸部材
７０３            背面壁
７０４            正面壁
８０２            ハウジング
９０３            ガイド部材（ばね、一定力ばね）
９０５            接続棒
９１０            接続モジュール
１００１          サドル要素
１００２Ａ，１００２Ｂ  端板
１３０２          第２ユニット（中間ユニット）
１６０２          第２ユニット
１３１０，１３１２，１５１０，１５１１，１６１１，１６１２  第１ユニット（支持ユニット）
１４０３Ａ，１４０３Ｂ  内側スライドレール
【図１】
2010157310.tif 000003
【図２】
2010157310.tif 000004
【図３】
2010157310.tif 000005
【図４】
2010157310.tif 000006
【図５】
2010157310.tif 000007
【図６】
2010157310.tif 000008
【図７】
2010157310.tif 000009
【図８】
2010157310.tif 000010
【図９】
2010157310.tif 000011
【図１０】
2010157310.tif 000012
【図１１】
2010157310.tif 000013
【図１２】
2010157310.tif 000014
【図１３】
2010157310.tif 000015
【図１４】
2010157310.tif 000016
【図１５Ａ】
2010157310.tif 000017
【図１５Ｂ】
2010157310.tif 000018
【図１５Ｃ】
2010157310.tif 000019
【図１５Ｄ】
2010157310.tif 000020
【図１５Ｅ】
2010157310.tif 000021
【図１５Ｆ】
2010157310.tif 000022
【図１５Ｇ】
2010157310.tif 000023
【図１５Ｈ】
2010157310.tif 000024
【図１６】
2010157310.tif 000025
【図１７】
2010157310.tif 000026